(57)【要約】【課題】操作ハンドルを左右に切り換える際における標本の視認性及び標本交換の作業性の悪化を防止する。【解決手段】メカニカルステージ３は、標本１３を保持するクレンメル９と、クレンメル９を保持すると共に、クレンメル９の保持状態で操作ハンドル２２への操作によって顕微鏡の固定ステージ２に対してクレンメル９を移動させる移動機構２４とを備える。操作ハンドル２２の配置を左右に切り換えるため、移動機構２４の全体が固定ステージ２に対して着脱可能となっている。操作ハンドル２２の切り換えに際し、観察者と正対する位置へのクレンメル９の方向転換が可能な切換機構を介してクレンメル９が移動機構２４に保持される。【選択図】  図１
2004294497.tif 000002
【特許請求の範囲】
【請求項１】
標本を保持するクレンメルと、クレンメルを保持すると共に操作ハンドルへの操作によってクレンメルを移動させる移動機構とを備え、前記移動機構及び操作ハンドルが固定ステージに対して複数の異なる向きに着脱可能となっているメカニカルステージであって、
前記移動機構におけるクレンメルの保持の方向を切り換える切換機構を備えていることを特徴とする顕微鏡のメカニカルステージ。
【請求項２】
前記切換機構は、前記移動機構に対してクレンメルの向きを変えて取り付けるための取付機構であることを特徴とする請求項１記載の顕微鏡のメカニカルステージ。
【請求項３】
前記切換機構は、前記移動機構に対してクレンメルの向きを変えるための回転機構であることを特徴とする請求項１記載の顕微鏡のメカニカルステージ。
【発明の詳細な説明】
【０００１】
【発明の属する技術分野】
本発明は、顕微鏡観察に際して標本の縦横移動に使用するメカニカルステージに関する。
【０００２】
【従来の技術】
固定ステージを有している顕微鏡においては、標本の観察位置を移動させるためにメカニカルステージが使用される（例えば、実公昭３７−５１６３号公報参照）。図１３はこのようなメカニカルステージ１０３を使用した顕微鏡１０１を示し、標本１０５が固定ステージ１０２に載置されて観察が行われる。メカニカルステージ１０３は固定ステージ１０２上に組み込まれることにより、そのクレンメル１０８が標本１０５を保持し、この保持状態で操作ハンドル１０４を回転操作することにより、クレンメル１０８が固定ステージ１０２上を直交するＸ軸及びＹ軸方向に移動する。これにより、固定ステージ１０２上における標本１０５の位置を調整することができる。
【０００３】
このようなメカニカルステージ１０３においては、標本移動を行う操作ハンドル１０４が、固定ステージ１０２の右左のどちらか一方側に設けられている。このため、観察者の利き腕が操作ハンドル１０４と逆側の場合には、観察者にとって標本移動の操作がしにくいものとなるところから、観察者が任意に操作ハンドル１０４の左右の配置位置を選べることが好ましい。
【０００４】
図１４及び図１５は、このような要求に対処するため、操作ハンドル１０４を固定ステージ１０２の右左のどちら側に対しても交換することが可能な構造としたメカニカルステージを示す。
【０００５】
これらの図において、照明光穴１１０が厚さ方向に貫通した顕微鏡の固定ステージ１０２には、メカニカルステージ１０３を取り付けるためのビス穴１１１，１１２が左右の両端部に形成されている。
【０００６】
メカニカルステージ１０３は、Ｙガイド１１３にＹ本体１１４がＹ方向移動可能に取り付けられ、Ｙ本体１１４にＸ本体１１５が固定され、Ｘ本体１１５にＸガイド１１６がＸ方向移動可能に取り付けられ、Ｘガイド１１６にクレンメル１０８が取り付けられることにより、直交する２軸方向にクレンメル１０８が移動可能となるように構成されている。また、Ｙ本体１１４及びＸガイド１１６の移動を行う操作ハンドル１０４は、Ｙ本体１１４から垂下するように取り付けられている。
【０００７】
図１４は操作ハンドル１０４が右側に位置するようにメカニカルステージ１０３を固定ステージ１０２に取り付けた状態を示し、同図（ｂ）で示すように、Ｙ本体１１４に固定ビス１０６を貫通させ、右側のビス穴１１１に螺合させることにより、メカニカルステージ１０３の固定が行われる。
【０００８】
図１５は操作ハンドル１０４が左側に位置するようにメカニカルステージ１０３を固定ステージ１０２に取り付けた状態を示し、図１４の状態から固定ビス１０６を外してメカニカルステージ１０３を固定ステージ１０２から取り外した後、メカニカルステージ１０３を１８０°旋回させる。この状態で、メカニカルステージ１０３を固定ステージ１０２の左側に移動させ、左側のビス穴１１２に固定ビス１０６を螺合させることによりメカニカルステージ１０３を固定ステージ１０２の左側に固定する。
【０００９】
【発明が解決しようとする課題】
しかしながら、上述した従来構造では、図１４の状態から図１５の状態に操作ハンドル１０４を切り換えると、クレンメル１０８の横移動を行うＸガイド１１６が固定ステージ１０２の手前側、すなわち観察者側に位置するため、クレンメル１０８は観察者に対して奥側を向いた状態となる。このようにＸガイド１０７が手前に位置する場合、標本１０５の視認性が悪化するばかりでなく、クレンメル１０８が奥側を向いていることから標本１０５の交換作業性が低下する可能性を有している。
【００１０】
本発明は、このような従来の問題点を考慮してなされたものであり、操作ハンドルを左右に切り換えても、標本の視認性及び標本交換の作業性を低下させることのない顕微鏡のメカニカルステージを提供することを目的とする。
【００１１】
【課題を解決するための手段】
上記目的を達成するため、請求項１の発明の顕微鏡のメカニカルステージは、標本を保持するクレンメルと、クレンメルを保持すると共に操作ハンドルへの操作によってクレンメルを移動させる移動機構とを備え、前記移動機構及び操作ハンドルが固定ステージに対して複数の異なる向きに着脱可能となっているメカニカルステージであって、前記移動機構におけるクレンメルの保持の方向を切り換える切換機構を備えていることを特徴とする。
【００１２】
このような構造では、操作ハンドルを操作することにより、移動機構がクレンメルを移動させるため、標本の観察位置を調整することができる。
【００１３】
この発明では、切換機構によって移動機構に対するクレンメルの保持の方向を切り換えることができる。このため、操作ハンドを左右のいずれの側に切り換えても、標本の視認性が低下することがなくなると共に、標本の交換作業性が低下することがない。
【００１４】
請求項２の発明は、請求項１記載の顕微鏡のメカニカルステージであって、前記切換機構は、前記移動機構に対してクレンメルの向きを変えて取り付けるための取付機構であることを特徴とする。
【００１５】
請求項２の発明では、切換機構を移動機構に取り付けることによりクレンメルの向きを変えることができるため、標本の視認性が低下することがなくなると共に、標本の交換作業性が低下することがなくなる。
【００１６】
請求項３の発明は、請求項１記載の顕微鏡のメカニカルステージであって、前記切換機構は、前記移動機構に対してクレンメルの向きを変えるための回転機構であることを特徴とする。
【００１７】
請求項３の発明では、切換機構を回転させることにより、クレンメルの方向転換を行うことができるため、標本の視認性が低下することがなくなると共に、標本の交換作業性が低下することがなくなる。
【００１８】
【発明の実施の形態】
以下、本発明を図示する実施の形態により、具体的に説明する。なお、各実施の形態において、同一の部材には同一の符号を付して対応させてある。
【００１９】
（実施の形態１）
図１〜図３は、本発明の実施の形態１であり、図１はメカニカルステージ３を固定ステージ２に取り付けた状態を、図２は方向転換することにより図１と逆にメカニカルステージ３を固定ステージ２に取り付けた状態を、図３はクレンメルを方向転換する切換機構を示している。
【００２０】
図１及び図２において、顕微鏡の固定ステージ２には、照明光穴２１が厚さ方向に貫通していると共に、メカニカルステージ３を取り付けるためのビス穴４，５が左右の両端部に形成されている。
【００２１】
標本１３を保持するクレンメル９は、メカニカルステージ３の移動機構２４に着脱自在に取り付けられる構造となっている。移動機構２４は、固定ステージ２の側面に沿って固定されるＹガイド６と、Ｙガイド６に取り付けられたＹ本体８と、Ｙ本体８に取り付けられることにより固定ステージ２上方でＹガイド６と直交する方向に配置されるＸ本体１１と、Ｘ本体１１の長さ方向に沿って移動可能に取り付けられたＸガイド１０とを備え、さらにＹ本体８及びＸガイド１０を移動させる操作ハンドル２２を備えている。
【００２２】
操作ハンドル２２は、Ｙ本体１１を移動させるためのＹハンドル７と、Ｘガイド１０を移動させるためのＸハンドル１２とが同軸的に組み付けられることにより形成されており、全体がＹ本体８から垂下している。
【００２３】
Ｙガイド６とＹ本体８とは図示しないボールガイド等の直動機構によって連結されており、Ｙガイド６を除いたメカニカルステージ３の全体がＹ方向に移動するようになっている。Ｙハンドル７は図示しないラック＆ピニオンあるいはワイヤーロープ等によりＹガイド６と連結されており、Ｙハンドル７を回すとＹガイド６に対してメカニカルステージ３の全体がＹ方向に移動する。
【００２４】
Ｘガイド１０及びＸ本体１１も図示しないボールガイド等の直動機構によって連結されることにより、Ｘガイド１０がＸ本体１１内をＸ方向に移動するようになっている。Ｘハンドル１２は図示しないラック＆ピニオンあるいはワイヤーロープ等によりＸガイド１０と連結されており、Ｘハンドル１２を回すとＸガイド１０がＸ方向に移動するようになっている。Ｘガイド１０にはクレンメル９が保持されており、クレンメル９によって保持された標本１３は、観察者がＸハンドル１２及びＹハンドル７を回転させることによって、標本１３の任意の位置を観察することができる。
【００２５】
クレンメル９は切換機構を介してＸガイド１０に保持されている。図３は、この実施の形態の切換機構を示し、Ｘガイド１０の下面に長手方向に沿って形成されたガイド溝１５と、クレンメル９の上面にガイド溝１５と同方向に延びるように形成されたガイド突起１４とにより構成されている。ガイド溝１５は蟻溝形状となっており、ガイド突起１４はガイド溝１５と相応する形状に成形され、これにより、ガイド突起１４をガイド溝１５に差し込むことが可能となっている。
【００２６】
ガイド溝１５がＸ方向に延びたＸガイド１０に形成されていることにより、ガイド溝１５及びガイド突起１４からなる切換機構は観察者と略平行な方向に沿って延びている。また、ガイド溝１５は長さ方向の一端部が開口状態となっており、この開口部からガイド突起１４が差し込み可能となっている。ガイド突起１４は左右両端部１４ａ、１４ｂのいずれからもガイド溝１５に差し込みされるものである。
【００２７】
以上の切換機構には、Ｘガイド１０に対してクレンメル９を位置決め固定するための位置決め手段が設けられている。位置決め手段は、クレンメル９のガイド突起１４上面の両端部に形成されたクリック穴１６，１７と、Ｘガイド１０の一方の端部に配置されたクリックボール１８及びばね１９とにより構成されている。クリックボール１８及びばね１９はＸガイド１０の開口部側の端部に形成された位置決め穴２５に挿入され、ばね押え２０を位置決め穴２５に螺合することにより、クリックボール１８がクリック穴１６，１７の方向に突出するように付勢されている。
【００２８】
図１は、操作ハンドル２２が固定ステージ２の右側に配置された状態を示す。この場合には、Ｘガイド１０のガイド溝１５の開口部に対して、ガイド突起１４をその一側の端部（右端部）１４ａから差し込んで、他端側１４ｂのクリック穴１６にクリックボール１８を係合させることにより、クレンメル９をＸガイド１０に位置決めする。そして、Ｙガイド６に固定ビス１を貫通させ、固定ステージ２の右側のビス穴４に螺合させることによりメカニカルステージ３を固定ステージ２に取り付ける。この状態では、標本１３がＸガイド１０の手前側に位置するため、標本１３の良好な視認性を確保することができる。
【００２９】
図２は、図１の状態に対し操作ハンドル２２を固定ステージ２の左側に切り換えた状態を示す。この場合には、固定ビスを外してメカニカルステージ３を固定ステージ２から取り外す。そして、クレンメル９をＸガイド１０から取り外し、１８０°回転させてから他端部１４ｂ側からガイド溝１５に差し込む。この差し込みにより、端部１４ａ側のクリック穴１７にクリックボール１８が係合してクレンメル９の位置決め状態の保持が行われる。
【００３０】
そして、Ｙガイド６が固定ステージ２の左側面に当接するようにメカニカルステージ３の全体を固定ステージ２に取り付け、固定ビス１をＹガイド６に貫通させて固定ステージ２の左側のビス穴５に螺合させる。図２のように、操作ハンドル２２を左側に切り換えた場合においても、標本１３がＸガイド１０の手前側に位置するため、標本１３の良好な視認性を確保することができる。
【００３１】
また、図１及び図２のいずれにおいても、クレンメル９が常に観察者側を向いているため、標本１３の交換作業性が悪化することがなくなる。この実施の形態では、クレンメル９の着脱を、固定ステージ２にメカニカルステージ３を取り付けた状態のままでも行うことができるため、例えば標本１枚専用、標本２枚専用、サイズが異なる標本専用等の種類の異なったクレンメル９を準備することにより、標本に最適なクレンメルを用いた観察が可能となる。
【００３２】
なお、この実施の形態では、クレンメル９の位置決めをクリック穴１６，１７とクリックボール１８との係合によって行っているが、ガイド突起１４をガイド溝１５の端面に当て付けることによって位置決めしても良く、ビスを螺合して位置決めしても良い。また、クレンメル９にガイド突起１４を形成し、Ｘガイド１０にガイド溝１５を形成しているが、クレンメル９にガイド溝を形成し、Ｘガイド１０にガイド突起１４を形成しても良い。
【００３３】
（実施の形態２）
図４〜図８は、本発明の実施の形態２であり、図４はこの実施の形態のメカニカルステージの取付状態を、図５及び図６は図４のＡ−Ａ線断面及びＢ−Ｂ線断面を、図７は弾性部材を、図８はクレンメルの取付構造をそれぞれ示す。
【００３４】
この実施の形態において、移動機構２４におけるＸ本体１１にＸガイド３１が取り付けられ、Ｘガイド３１にクレンメル３０が保持されている。
【００３５】
Ｘガイド３１は、図５に示すように、球体３２及びワイヤ３３を介してＸ方向に移動可能にＸ本体１１に取り付けられている。このＸガイド３１の下面には、図６に示すように中間部材３４が長手方向に沿って取り付けられている。中間部材３４の取り付けは、同部材３４の両端部に取付穴３７を形成し、この取付穴３７を介して締結部材３８をＸガイド３１に螺合させることにより行われる。
【００３６】
中間部材３４の下側には、クレンメル保持部材３６が締結部材３９を介して固定されている。中間部材３４及びクレンメル保持部材３６は、コ字形に成形されており、両端部を突き当てることにより、これらの間に開口部４２が形成される。開口部４２は、これらの部材３４，３６の前後方向（図６において、紙面鉛直方向）に貫通するように形成されている。この場合、中間部材３４及びクレンメル保持部材３６がＸ方向に沿ったＸガイド３１に取り付けられることから、これらの部材３４，３６の間に形成された開口部４２は観察者と正対する方向に沿って設けられるものである。クレンメル３０は、後述するように、かかる開口部４２の前後いずれの端部からも差し込み可能となっている。
【００３７】
開口部４２には、位置決めピン４１及び弾性部材３５が配置される。位置決めピン４１は間隔を有した２つが配置されており、図６及び図８に示すように、クレンメル保持部材３６に圧入されることにより、同保持部材３６に固定されている。
【００３８】
弾性部材３５は、中間部材３４の長手方向に沿って延びており、その略中央部分に形成された取付孔３５ａに締結部材４０を貫通させて中間部材３４に螺合することにより、中間部材３４の下面に取り付けられている。この取り付けに際して、弾性部材３５の両端部３５ｂが中間部材３４の両端部に形成したスリット４５に挿入されることにより両端部３５ｂの保持が行われる。かかる弾性部材３５は、締結部材４０とスリット４５との間にクレンメル保持部材３６側に膨出する押圧部が形成されており、開口部４２に挿入されたクレンメル３０をその弾性力によって開口部４２に固定する。なお、押圧部には図６及び図７に示すように面４３が形成されており、クレンメル３０は弾性部材３５の弾性変形により、面４３にならい挿入、固定される。
【００３９】
クレンメル３０は、図５及び図８に示すように、標本を保持する保持部３０ｂと、段状に高くなるように保持部３０ｂに連設された取付部３０ａとを有しており、取付部３０ａには位置決めピン４１が挿入される位置決め凹部４４が形成されている。このクレンメル３０は、取付部３０ａが開口部４２に挿入され、押圧部材３５によって弾性的に押圧されることによりＸガイド３１に保持される。このような実施の形態では、開口部４２はクレンメル３０をＸガイド３１に固定するための切換機構を構成している。
【００４０】
図４は、操作ハンドル２２を固定ステージ２の右側に配置した状態を示し、固定ビス１を固定ステージ２の右側のビス穴４に螺合させることにより、メカニカルステージが固定ステージ２に固定される。このとき、クレンメル３０の取付部３０ａを観察者側から開口部４２に挿入し、位置決め凹部４４と位置決めピン４１とを係合させてクレンメル３０を位置決め状態で保持する。この状態では、標本１３がＸガイド３１の手前側に位置するため、標本の良好な視認性を確保することができる。
【００４１】
操作ハンドル２２が固定ステージ２の左側に配置する場合には、Ｙガイド６が固定ステージ２の左側の端面に当接するようにメカニカルステージを固定ステージ２に組み付け、固定ビス１を固定ステージ２の左側のビス穴５に螺合させて固定する。この固定では、図４の開口部４２における端部と反対側の端部が観察者側に位置しており、この端部からクレンメル３０の取付部３０ａを開口部４２に挿入し、位置決め凹部４４と位置決めピン４１とを係合させてクレンメル３０を位置決め状態で保持する。これにより、標本１３がＸガイド３１の手前側に位置するため、標本の良好な視認性を確保することができる。
【００４２】
また、この実施の形態ではクレンメル３０が常に観察者側を向いているため、標本１３の交換作業性が低下することがなくなる。
【００４３】
図９は、この実施の形態に適用されるクレンメルの別の形態を示す。この形態のクレンメル４５は肉厚の保持部４５ｂと、薄肉の取付部４５ａとを有しており、取付部４５ａには開口部４２の位置決めピン４１に係合する位置決め凹部４４が形成されている。取付部４５ａは、保持部４５ｂの肉厚方向における中間部分に連設されている。
【００４４】
また、標本１３を保持するストッパアーム４５ｅがヒンジ軸４５ｆを介して保持部４５ｂの一側に回動可能に取り付けられている。この回動は、摘み４５ｇを操作することにより行われる。これらのストッパアーム４５ｅ及びヒンジ軸４５ｆは、いずれも保持部４５ｂにおける一面４５ｃ及び他面４５ｄから突出しないように配置されるものである。
【００４５】
このようなクレンメル４５は、表裏反転して使用することができる。すなわち、図４に示すように操作ハンドル２２を固定ステージ２の右側に配置してメカニカルステージを使用する場合には、他面４５ｄを下側にしてクレンメル４５をメカニカルステージに取り付ける。これに対し、操作ハンドル２２を左側に配置して使用する場合には、一面４５ｃを下側にしてクレンメル４５をメカニカルステージに取り付ける。このような構造のクレンメル４５では、操作ハンドル２２と摘み４５ｇとの位置関係が常に反対となるメカニカルステージとすることができる。そして、操作ハンドル２２と摘み４５ｇとが反対の位置関係になることにより、観察者による摘み４５ｇへの操作を円滑に行うことが可能となる。
【００４６】
（実施の形態３）
図１０〜図１２は本発明の実施の形態３であり、図１０はメカニカルステージの固定状態を、図１１は図１０におけるＣ−Ｃ線断面を、図１２は要部を示している。
【００４７】
この実施の形態において、クレンメル５０は実施の形態２と同様に、標本１３を保持する保持部５０ｂと、段状に高くなるように保持部５０ｂに連設された取付部５０ａとによって構成されている。また、保持部５０ｂには、ストッパアーム５０ｃが取り付けられている。取付部５０ａの略中央部分には軸穴５４が厚さ方向に貫通している。この軸穴５４の両側にはクリック穴５６，５７が開口されている。
【００４８】
この実施の形態のＸガイド３１は、実施の形態２と同様に球体３２及びワイヤ３３を介してＸ方向への移動可能なようにＸ本体１１に取り付けられている。このＸガイド３１の下面には、取付部材５１が長手方向に沿って固定されている。取付部材５１の固定は、実施の形態２と同様に取付穴３７に締結部材３８を貫通させＸガイド３１に螺合させることにより行われる。
【００４９】
この取付部材５１の長さ方向の略中央部分にはねじ穴５３が形成されている。また、取付部材５１の下面における所定位置には、実施の形態１と同様な機構からなる図示しないばね及びばね押えによって付勢されたクリックボール５５が設けられている。このクリックボール５５がクレンメル５０のクリック穴５６，５７に係合することにより、メカニカルステージに対するクレンメル５０の位置決め固定が行われる。
【００５０】
この実施の形態において、クレンメル５０をＸガイド３１に取り付けるための切換機構は、軸体５２とクレンメル５０に形成された上述の軸穴５４とによって構成されている。軸体５２はねじ部５２ａと大径の頭部とを有したビスが用いられており、図１１に示すようにねじ部５２ａがクレンメル５０の軸穴５４を貫通した後、取付部材５１のねじ穴５３に螺合することにより、その頭部及び取付部材５１の間で取付部５０ａを挟持する。これにより、クレンメル５０が軸体５２を中心として回転可能なようにＸガイド３１に取り付けられる。
【００５１】
図１０は操作ハンドル２２を右側に配置して使用する場合を示し、固定ビス１と右側のビス穴４とによってメカニカルステージが固定ステージ２に固定される。この状態では、取付部材５１のクリックボール５５が一方のクリック穴５６に係合することによりクレンメル５０が位置決め状態で固定される。
【００５２】
操作ハンドル２２を左側に配置する場合には、固定ステージ２からメカニカルステージを取り外し、その後クレンメル５０を軸体５２を中心に１８０°回転させる。この回転により、クリックボール５５は他方のクリック穴５７と係合してクレンメルが固定される。そして、メカニカルステージの方向を１８０°変えて固定ビス１と左側のビス穴５とによりメカニカルステージを固定ステージ２に固定する。
【００５３】
このように、この実施の形態では、クレンメル５０が回転することによって標本１３をＸガイド３１の手前側に常に位置させることができるため、標本を確実に視認することができる。また、この実施の形態では、クレンメルを回転させるだけで切換を行うため、クレンメルの脱着が不要となり操作性が向上する。
【００５４】
なお、この実施の形態では、クレンメル５０の軸穴５４が軸体５２に対して回転しているが、軸体５２をクレンメル５０と一体に設けると共に、軸体５２が挿入される軸穴５４を取付部材５１に設けても良く、これにより軸体５２が軸穴５４に対して回転してクレンメル５０の切換を行うことができる。また、クレンメル５０の位置決めをクリックボール５５及びクリック穴５６，５７によることなく、ビス等によって固定しても良い。
【００５５】
また、本発明は、上述した実施の形態に限定されるものではなく、発明の本質を逸脱しない範囲で種々変更が可能である。
【００５６】
以上の実施の形態から、本発明は以下の技術的思想を包含するものである。
【００５７】
（１）標本を保持するクレンメルと、クレンメルを保持すると共に、クレンメルの保持状態で操作ハンドルへの操作によって顕微鏡の固定ステージに対してクレンメルを移動させる移動機構とを備え、前記操作ハンドルの配置を左右に切り換えるため、移動機構の全体が固定ステージに対して着脱可能となっているメカニカルステージであって、前記操作ハンドルの切り換えに際し、観察者と正対する位置へのクレンメルの方向転換が可能な切換機構を介してクレンメルが移動機構に保持されていることを特徴とする顕微鏡のメカニカルステージ。
【００５８】
この発明では、操作ハンドルの切り換えの際に、観察者と正対する方向へのクレンメルの方向転換を切換機構を介して行うことができる。このため、操作ハンドを左右のいずれの側に切り換えても、標本の視認性が低下することがなくなると共に、標本の交換作業性が低下することがない。
【００５９】
（２）前記切換機構は、前記移動機構に対してクレンメルの向きを変えて取り付けるための取付機構であることを特徴とする上記（１）項記載の顕微鏡のメカニカルステージ。
【００６０】
この発明では、切換機構を移動機構に取り付けることによりクレンメルの向きを変えることができるため、標本の視認性が低下することがなくなると共に、標本の交換作業性が低下することがなくなる。
【００６１】
（３）前記取付機構は、観察者とほぼ平行な方向に沿って延びるようにクレンメル及び移動機構に差し込み可能に設けられたガイド突起及びガイド溝からなり、一方が他方に対して左右いずれの端部からも差し込み可能となっていることを特徴とする上記（１）項または（２）項記載の顕微鏡のメカニカルステージ。
【００６２】
この発明では、ガイド突起及びガイド溝の内の一方が他方に対して左右のいずれの端部からも差し込みが可能となっているため、操作ハンドルの切り換えの際に、観察者と正対する方向へクレンメルを方向転換することができ、これにより、標本の視認性が低下することがなくなると共に、標本の交換作業性が低下することがない。
【００６３】
（４）前記取付機構は、観察者と正対する方向に沿って移動機構を貫通した開口部からなり、前記クレンメルが開口部のいずれの端部からも差し込み可能となっていることを特徴とする上記（１）項または（２）記載の顕微鏡のメカニカルステージ。
【００６４】
この発明では、移動機構を貫通した開口部に対し、クレンメルがいずれの端部からも差し込みが可能となっているため、操作ハンドルの切り換えの際に、観察者と正対する方向へクレンメルを方向転換することができ、標本の視認性が低下することがなくなると共に、標本の交換作業性が低下することがない。
【００６５】
（５）前記切換機構は、前記移動機構に対してクレンメルの向きを変えるための回転機構であることを特徴とする上記（１）項記載の顕微鏡のメカニカルステージ。
【００６６】
この発明では、切換機構を回転させることにより、クレンメルの方向転換を行うことができるため、標本の視認性が低下することがなくなると共に、標本の交換作業性が低下することがない
【００６７】
（６）前記回転機構は、クレンメル及び移動機構に設けられた相互に回転可能な軸体及び軸穴からなることを特徴とする上記（１）項または（５）項記載の顕微鏡のメカニカルステージ。
【００６８】
この発明では、操作ハンドルの切り換えの際に、軸体及び軸穴を相対回転させることにより、クレンメルを観察者と正対する方向へ方向転換することができるため、標本の視認性が低下することがなくなると共に、標本の交換作業性が低下することがない。これに加えて、この発明では、クレンメルを移動機構から取り外すことなく、クレンメルの方向転換を行うことができるため、簡単に方向転換させることができる。
【００６９】
【発明の効果】
請求項１の発明によれば、操作ハンドルの切り換えの際に、観察者と正対する方向へのクレンメルの方向転換を行うことができるため、操作ハンドを左右のいずれの側に切り換えても、標本の視認性が低下することがないと共に、標本の交換作業性の低下することがない。
【００７０】
請求項２及び３の発明によれば、請求項１の発明の効果に加えて、クレンメルの方向転換を簡単に行うことができる。
【図面の簡単な説明】
【図１】（ａ），（ｂ）は実施の形態１における平面図及び正面図である。
【図２】（ａ），（ｂ）は操作ハンドルを左側に配置した場合の平面図及び正面図である。
【図３】実施の形態１における切換機構の斜視図である。
【図４】（ａ），（ｂ）は実施の形態２における平面図及び正面図である。
【図５】図４のＡ−Ａ線断面図である。
【図６】図４のＢ−Ｂ線断面図である。
【図７】実施の形態２に用いる弾性部材の斜視図である。
【図８】実施の形態２の切換機構の斜視図である。
【図９】実施の形態２に用いるクレンメルの別の形態を示す斜視図である。
【図１０】（ａ），（ｂ）は実施の形態３における平面図及び正面図である。
【図１１】図１０におけるＣ−Ｃ線断面図である。
【図１２】実施の形態３における切換機構の斜視図である。
【図１３】顕微鏡の一例の斜視図である。
【図１４】（ａ），（ｂ）は操作ハンドルを右側に配置した従来のメカニカルステージの平面図及び正面図である。
【図１５】（ａ），（ｂ）は操作ハンドルを左側に配置した従来のメカニカルステージの平面図及び正面図である。
【符号の説明】
２  固定ステージ
３  メカニカルステージ
９、３０、４５、５０  クレンメル
２２  操作ハンドル
２４  移動機構
【図１】
2004294497.tif 000003
【図２】
2004294497.tif 000004
【図３】
2004294497.tif 000005
【図４】
2004294497.tif 000006
【図５】
2004294497.tif 000007
【図６】
2004294497.tif 000008
【図７】
2004294497.tif 000009
【図８】
2004294497.tif 000010
【図９】
2004294497.tif 000011
【図１０】
2004294497.tif 000012
【図１１】
2004294497.tif 000013
【図１２】
2004294497.tif 000014
【図１３】
2004294497.tif 000015
【図１４】
2004294497.tif 000016
【図１５】
2004294497.tif 000017